(57)【要約】  本発明は、ブレスレットの長さを調整することを可能にするブレスレット用の伸長可能なバックルを有するクラスプに関する。このクラスプは、中央支持部（１）と、中央支持部（１）のそれぞれの端部に関節結合されかつ中央支持部（１）で閉じることができる第１および第２の旋回片（２ａ、２ｂ）と、第１および第２の旋回片（２ａ、２ｂ）を中央支持部（１）に対してロックするように、および前記第１および第２の旋回片（２ａ、２ｂ）を中央支持部（１）からロック解除し、そのようにして前記第１および第２の旋回片（２ａ、２ｂ）を伸ばすことができるように配置されたクラスプを開閉するための手段（１４、１６、１７、１９、２２）と、第１の旋回片（２ａ）と一体でありかつブレスレットの第１のストランドに接続されるように配置された第１の取付部（６ａ）、および第２の旋回片（２ｂ）と一体でありかつブレスレットの第２のストランドに連結できるように配置された第２の取付部（６ｂ）の少なくとも一方とを備える。本発明によるクラスプはまた、第１および第２の旋回片（２ａ、２ｂ）の少なくとも一方に配置された取付体（４）を備え、取付部または各々の第１および第２の取付部（６ａ、６ｂ）は、対応する取付体（４）に接続され、この対応する取付体（４）を、対応する旋回片（２ａ、２ｂ）の長手方向に変位させ、前記片（２ａ、２ｂ）に沿って種々の位置にロックできる。【選択図】図１
2014523774.tif 000002
【特許請求の範囲】
【請求項１】
ブレスレットの長さを調整することを可能にする前記ブレスレット用の伸長可能なバックルを有するクラスプであって、
−中央支持部（１）と、
−前記中央支持部（１）のいずれかの端部に関節結合されかつ前記中央支持部（１）で閉じることできる第１および第２の旋回片（２ａ、２ｂ）と、
−前記第１および第２の旋回片（２ａ、２ｂ）を前記中央支持部（１）に対してロックするように、および前記第１および第２の旋回片（２ａ、２ｂ）を前記中央支持部（１）からロック解除し、そのようにして前記第１および第２の旋回片（２ａ、２ｂ）を伸ばすことができるように配置された前記クラスプを開閉するための手段（１４、１６、１７、１９、２２）と、
−前記第１の旋回片（２ａ）と一体でありかつ前記ブレスレットの第１のストランドに接続されるように配置された第１の取付部（６ａ）、および前記第２の旋回片（２ｂ）と一体でありかつ前記ブレスレットの第２のストランドに接続されるように配置された第２の取付部（６ｂ）の少なくとも一方と、
を備えるクラスプにおいて、
前記クラスプが、さらに、前記第１および第２の旋回片（２ａ、２ｂ）の少なくとも一方に配置された取付体（４）を備え、前記取付部または各々の第１および第２の取付部（６ａ、６ｂ）が前記対応する取付体（４）に接続され、前記対応する取付体（４）を、前記対応する旋回片（２ａ、２ｂ）の長手方向に変位させ、前記片（２ａ、２ｂ）に沿って種々の位置にロックできることを特徴とするクラスプ。
【請求項２】
前記旋回片（２ａ、２ｂ）の少なくとも一方には細長い中空部（５）が設けられ、前記対応する取付体（４）が、前記対応する旋回片（２ａ、２ｂ）の長手方向縁部（２、２’）に沿って前記中空部（５）の内部に摺動でき、次に、前記片（２ａ、２ｂ）に対して種々のインデックス位置の１つに並進してロックされることを特徴とする請求項１に記載のクラスプ。
【請求項３】
前記旋回片または各旋回片（２ａ、２ｂ）が、前記対応する取付体（４）と共に動作するように配置されたボルト（７）を備え、前記ボルト（７）がそれぞれ第１および第２の軸方向位置をとることができ、その結果、前記ボルト（７）が前記第１および第２の軸方向位置の一方に配置されたときに、前記取付体または各取付体（４）を前記種々のインデックス位置の１つにロックすることができ、そして前記ボルト（７）が前記第１および第２の軸方向位置の他方に配置されたときに、前記取付体または各取付体（４）が、前記対応する中空部（５）の内部に摺動して他のインデックス位置をとることができるようにロック解除されることができることを特徴とする請求項１または２に記載のクラスプ。
【請求項４】
前記ボルト（７）が、直角な軸に沿って前記本体（４）の変位方向に、前記旋回片または各旋回片（２ａ、２ｂ）の前記長手方向縁部（２、２’）ならびに前記取付体（４）に交差するように配置されることを特徴とする請求項３に記載のクラスプ。
【請求項５】
前記取付体または各取付体（４）が開口部（８）を備え、前記開口部（８）の下縁および／または上縁が、前記取付体（４）の変位方向に離間した複数の凹部（９ａ、９ｂ、９ｃ）を備えること、および前記ボルト（７）が、前記ボルト（７）を前記第１および第２の軸方向位置の一方に配置している間に前記取付体または各取付体（４）を前記種々のインデックス位置の１つにロックするために、前記凹部（９ａ、９ｂ、９ｃ）の１つに受け入れられるように配置された隆起部（７ａ）を備えることを特徴とする請求項３または４に記載のクラスプ。
【請求項６】
爪（１０）が、前記対応する取付体（４）に配置された複数の凹部（１１）と共に動作して、前記対応するボルト（７）をその２つの軸方向位置から変位させる前に前記本体（４）を前記種々のインデックス位置の１つに予め位置決めし、前記本体（４）をロックするために、前記旋回片または各旋回片（２ａ、２ｂ）の前記長手方向縁部（２、２’）の少なくとも一方に配置されることを特徴とする請求項１〜５のいずれか一項に記載のクラスプ。
【請求項７】
前記クラスプの前記中央支持部（１）が２つの側面構造（１２、１２’）を備え、前記２つの側面構造（１２、１２’）の内部フランクが、前記第１および第２の旋回片（２ａ、２ｂ）を前記支持部で閉じたときに前記対応するボルト（７）の任意の一端を受け入れるための切欠（１３）を備えることを特徴とする請求項３〜６のいずれか一項に記載のクラスプ。
【請求項８】
請求項１〜７のいずれか一項に記載のクラスプを備えるブレスレット。
【請求項９】
請求項８に記載のブレスレットを備える腕時計。
【発明の詳細な説明】
【技術分野】
【０００１】
本発明は、ブレスレットの、特に腕時計の分野に関する。より詳細には、本発明は、ブレスレットの長さの正確な調整を可能にする伸長可能なループを有するブレスレット用のクラスプに関する。
【背景技術】
【０００２】
伸長可能なバックルを有するクラスプがそれらの審美的外観のために知られている。これらのクラスプは、多くの場合、リンクからなるブレスレットと関連する。一般に、ブレスレットの長さは、この場合、小売業者が、着用者の手首のサイズに応じて、１つ以上のリンクを追加または除去することによって調整される。この調整は一般に最終的なものであり、環境熱、および／または着用者によって行われる事後の活動に左右される手首の周囲の差を考慮していない。しかし、手首の寸法は、環境温度が高いか低いかどうかに従って変化するので、多くの場合、このような調整を行うことが必要になると思われることに留意されたい。調整の可能性なしには、ブレスレットは、暑い夏の温度で手首を締め付ける可能性がある。逆に、冬には、その同じブレスレットが手首の周りで回転する傾向がある。
【０００３】
腕時計の着用者自身が、環境に応じて、ほんの数ミリメートルだけ長さを調整することを可能にするシステムが設けられた複数の腕時計バンドが存在する。このようなクラスプは、特に、米国特許第５９２７５７７号明細書、ＪＰ５９１０８４１１号公報、欧州特許第１７１６７７６号明細書、欧州特許第１３７８１８５号明細書、欧州特許第１９４３９１７号明細書、欧州特許第１９２０６７３号明細書、さらに、国際公開第２００８０６４９３１号パンフレットに記載されている。
【０００４】
一例として、米国特許第５９２７５７７号明細書に開示されている装置はボルトを備え、このボルトの一端はブレスレットのストランドの一方の一端に関節結合され、ボルトの他端には、ケースの側縁に沿って配置された種々の穴にケースの内部に位置決めできるロッドが装備される。この装置の主な不都合は、ブレスレットの長さを調整するためにクラスプを開く必要があるという事実からもたらされる。
【０００５】
ＪＰ５９１０８４１１号公報は、互いに一端に関節結合された第１および第２の片を備える２つの片と、第１の片の第２の端部の関節結合されたカバーとを有する伸長可能なバックル用のクラスプであって、カバーがブレスレットの第１のストランドに接続されるクラスプに関する。実質的に長方形の開口部は第２の片の長手方向軸線に沿って延びる。この開口部の長手方向縁部には、伸長可能なバックルの支持部と一体である締結手段と共に動作するように配置された切欠部が設けられ、支持部はブレスレットの第２のストランドに接続される。締結手段は、第２の片を片の支持部に対して所望のインデックス位置にロックするために、第２の片の開口部の各切欠部の切欠の一方に位置決めされるように意図された２つの締結要素を備える。締結手段はさらに押しボタンを備え、この押しボタンの作用により、対応する切欠部の各締結要素が、ブレスレットの長さを調整できるように解放されることが可能になる。次に、第２の片を支持片に対して他のインデックス位置にロックするために、押しボタンがもはや作動されないときに、各締結要素は切欠部のいずれかの他の切欠に位置決めされる。米国特許第５９２７５７７号明細書の例に続き、ブレスレットの長さを調整するためにクラスプを開く必要があり、これは操作を複雑にする。
【０００６】
欧州特許第１７１６７７６号明細書は、特に上記問題を改善することを目的とするブレスレットの長さを調整するための装置を開示している。この装置はカバーを備え、このカバーの内部に、ブレスレットの一端に関節結合されたボルトが摺動できる。このボルトは、ブレスレットを開くことを必要とすることなく、前記ブレスレットの長さを調整することを可能にする解放システムと共に動作する、所定の位置に予め位置決めして締結する手段を備える。欧州特許第１７１６７７６号明細書からの情報によれば、この調整装置は、展開する関節結合片を有するクラスプが端部に設けられる剛性リンクブレスレットに取り付けられるように意図される。したがって、この装置は、革製ブレスレットまたは他の可撓性材料のストランドの一方が、ブレスレットの長さの粗調整のための舌部が設けられた通過アセンブリに配置されるように意図される革製ブレスレットまたは他の可撓性材料には適切でない。
【０００７】
欧州特許第１３７８１８５号明細書は、上記問題を解決する２つの片を有する伸長可能なバックルを有するクラスプを提案する。このクラスプの２つの片はそれらの端部の一方で互いの周りに関節結合され、一方、前記２つの片の端部の他方は、ブレスレットのストランドの一方に接続されたカバーに、およびブレスレットの他方のストランドに接続された移動可能なボルトにそれぞれ接続される。移動可能なボルトは収容部の内部に配置され、この収容部の内部には、ブレスレットの長さを調整するためのインデックス手段が取り付けられる。これらのインデックス手段は、収容部の横方向内部フランクに沿って配置された鋸歯パターンに切り欠かれた部分と共に互いに動作するように配置された２つの締結要素を備える。収容部の横方向外部フランクに設けられた２つの押しボタンは、それらが作動されたときに、ブレスレットの長さを調整できるように切欠部の締結要素を解放することを可能にする。
【発明の概要】
【発明が解決しようとする課題】
【０００８】
本発明の目的は、クラスプが閉鎖位置にあるときにブレスレットの長さの正確な調整を提供するという利点を有し、かつリンクを有するブレスレットに取り付けるかまたは革から製造することができるように容易に適合させることができるブレスレット用の伸長可能なクラスプの異なる形態を提案することである。
【課題を解決するための手段】
【０００９】
本発明によれば、この目的は、ブレスレットの長さを調整することを可能にするブレスレット用の伸長可能なバックルを有するクラスプによって達成される。このクラスプは、中央支持部と、中央支持部のそれぞれの端部に関節結合されかつ中央支持部で閉じることできる第１および第２の旋回片と、第１および第２の旋回片を中央支持部に対してロックするように、および前記第１および第２の旋回片を中央支持部からロック解除するように配置されたクラスプを開閉するための手段と、第１の旋回片と一体でありかつブレスレットの第１のストランドに接続されるように配置された第１の取付部、および第２の旋回片と一体でありかつブレスレットの第２のストランドに連結できるように配置された第２の取付部の少なくとも一方とを備える。本発明によるクラスプは、さらに、第１および第２の旋回片の少なくとも一方に配置された取付体を備える。取付部または各々の第１および第２の取付部は、対応する取付体に接続され、この対応する取付体を、対応する旋回片の長手方向に変位させ、前記片に沿って種々の位置にロックできる。
【００１０】
本発明の特徴は、好ましい実施形態（単なる例示であり、決してそれに限定されずかつ概略図に関連する）の説明を読めば、より明確に明らかであろう。
【図面の簡単な説明】
【００１１】
【図１】本発明の好ましい実施形態による腕時計バンド用の伸長可能なバックルを有するクラスプの分解図を示す。
【図２】第１および第２の旋回片が伸ばされたときのクラスプの下部斜視図を示す。
【図３】第１および第２の旋回片が中央支持部で閉じられたときのクラスプの平面図を示す。
【図４】第１および第２の取付部の各々が第１のインデックス位置にある断面Ａ−Ａに沿った図３の断面図を示す。
【図５】第１および第２の取付部の各々が第２のインデックス位置にあるクラスプの側面の側面図を示す。
【図６】断面Ｈ−Ｈに沿った図３の断面図を示す。
【図７】断面Ｂ−Ｂに沿った図４の断面図を示す。
【図８】取付体を備える旋回片の一方の分解図を示す。
【図９】取付体が第１のインデックス位置にあるときの図８の組み立てられた旋回片の平面図を示す。
【図１０】断面Ｃ−Ｃに沿った図９の断面図を示す。
【図１１】取付体が第２のインデックス位置にあるときの旋回片の平面図を示す。
【図１２】断面Ｄ−Ｄに沿った図１１の断面図を示す。
【発明を実施するための形態】
【００１２】
本発明によるクラスプはブレスレットの長さの有用な調整を可能にする。特に図１〜図３から理解されるように、このクラスプは、３片の伸長可能なバックル式のものであり、したがって、中央支持部１のそれぞれの端部で軸３の周りに関節結合された第１の旋回片２ａおよび第２の旋回片２ｂを備え、そのようにして、第１の旋回片２ａおよび第２の旋回片２ｂをこの支持部１に対して閉じてロックすることができる。このクラスプは、ブレスレットの長手方向に続き、かつ着用者の手首の形状とより良く合わせるために僅かに内側に湾曲される細長い形状のものである。
【００１３】
各旋回片２ａ、２ｂは、取付体４が設けられる長方形状の中空部５を有する。この取付体４は、ブレスレット（図示せず）を形成する第１および第２のストランドの、バーを受容するように意図されたそれぞれのバックル６ａ、６ｂを一端に備える。各取付体４は、対応する旋回片に対してインデックスされた種々の位置にロック装置でロックできるように、各旋回片２ａ、２ｂの長手方向縁部２、２’に沿って中空部５の内部で並進作動されるように配置される。本発明によるクラスプがブレスレットに取り付けられ、２つの取付体４が、支持部１の中心に近接した位置にロックされるように、取付体４のそれぞれの中空部に沿って、対応する片の長手方向に変位されたときに（図４）、ブレスレットの長さは短縮され、一方、取付体４が中央支持部１の側縁の方向に変位されたときに（図５）、このブレスレットの長さは伸長される。
【００１４】
各取付体４のロック装置は、各旋回片２ａ、２ｂに接続され、かつ対応する取付体４と共に動作するように配置されたボルト７を有する。ボルト７は第１および第２の軸方向位置をそれぞれ占有できる。ボルト７がその２つの軸方向位置の一方に配置されたとき、取付体４は種々のインデックス位置の１つにロックされ、一方、ボルト７が２つの軸方向位置の他方に配置されたとき、この本体４は並進してロック解除される。この後者の構成では、取付体４は、対応する旋回片２ａ、２ｂの長手方向縁部２、２’に沿って中空部５の内部に摺動して、他のインデックス位置をとることが可能である。
【００１５】
より詳細には、特に図７および図８を参照すると、ボルト７は、取付体４の変位に対して直角な軸に沿って、各旋回片２ａ、２ｂの長手方向縁部２、２’ならびに前記本体４に交差するように配置される。このようにして、旋回片２ｂは細長い開口部８を備え（図１０）、この細長い開口部８の厚さは、旋回片の中空部５の内部における本体４の変位を可能にするために、ボルト７の中央部の直径よりも僅かに大きい。開口部８の下部および上部の各々は、特に図８および図１２で示したような３つの凹部９ａ、９ｂおよび９ｃを備えることが好ましい。ボルト７がその２つの軸方向位置の一方に配置されたときに（図７）、これらの凹部は、ボルト７の中央部の側面の一方に配置された隆起部７ａを受け入れるように意図され、このようにして、取付体４を旋回片に対してロックする。本体４が旋回片に対して他のインデックス位置に変位されることができるように、ボルト７がその２つの軸方向位置の他方に配置されたとき、隆起部７ａは前記本体４から解放される。ボルト７の２つの端部は押しボタンを受け入れ、このボルト７の端部のいずれかを押すことにより、ボルト７をその２つの軸方向位置のいずれかに案内することが可能になる。
【００１６】
爪１０は、好ましくは、対応する取付体４に配置された３つの凹部１１と共に動作するために、各旋回片２ａ、２ｂの２つの長手方向縁部２、２’の各々に配置される。これらの爪１０は、対応する旋回片に取付体をロックするために、対応するボルト７をその２つの軸方向位置のいずれかから変位させる前に、各本体４を種々のインデックス位置に予め位置決めする機能を有する。
【００１７】
再び、図１〜図３を参照すると、クラスプの中央支持部１は２つの側面構造１２、１２’を備え、これらの側面構造１２、１２’の内部フランクは、各旋回片２ａ、２ｂが前記支持部１に対して閉じられるように係合されたときに各旋回片２ａ、２ｂのボルト７のいずれかの端部を受け入れるように意図された切欠１３を備える。旋回片２ａ、２ｂをロック／ロック解除するための手段は、ベッド１５の内部の中央支持部１のいずれかの端部に部分的に配置された２つの押しボタン１４を備える。２つの圧縮ばね１６は、対応する押しボタン１４に対して、および押しボタンに接続された２つのロッド１７のいずれかの端部から、各ベッド１５に設けられる。各押しボタン１４の２つのロッド１７は、ピン２０によってスタッド１９に接続できるように、中央支持部１の各側面構造１２、１２’に形成された２つの穴１８の内部に伸ばされる。２つのスタッド１９は長方形プレート２１の上部に配置され、この長方形プレート２１は、２つの側面構造１２、１２’を接続し、第１の旋回片２ａおよび第２の旋回片２ｂを中央支持部１に対してロックするために、第１の旋回片２ａおよび第２の旋回片２ｂの一端に配置された保持手段２２と共に動作する。旋回片２ａ、２ｂを伸ばすことができるように、これらのスタッド１９が旋回片２ａ、２ｂの保持手段２２から解放されるべく、２つの押しボタン１４が同時に作動されるときに、前記スタッド１９は、旋回片の長手方向軸線に対して直角方向にプレート２１に沿って互いに変位するように配置される。
【００１８】
より正確には、各スタッド１９は、２つの反対面の一方がスタッドのベースに対して４５°の平面に配置されるように配向されたこれらの面に、三角形プリズム２３を有する。各スタッド１９のプリズム２３は、旋回片２ａ、２ｂが中央支持部１で閉じられたときに、旋回片２ａ、２ｂに配置された面取り部２４（図８）と接触する。各片の端部に加えられた圧力により、各プリズム２３が切欠２２の反対側に配置されるまで、スタッド１９を変位させることが可能になり、各押しボタン１４の圧縮ばね１６の作用下で、切欠２２にプリズム２３が導入され、このようにして片を支持部１に対してロックする。旋回片２ａ、２ｂの伸長を可能にするために、２つの押しボタン１４が同時に作動されたときに、それぞれのプリズム２３が、対応する切欠２２から解放される。
【００１９】
当然、本発明は、一例としての上記実施形態に限定されず、特許請求の範囲によって網羅される動作の全ての他の変形例を含む。一例として、ブレスレットの伸長または短縮を可能にするための手段が旋回片の一方のみに配置されてもよく、他方の旋回片は、任意の種類の取付システムによってブレスレットのストランドに接続されるように構成される。
【図１】
2014523774.tif 000003
【図２】
2014523774.tif 000004
【図３】
2014523774.tif 000005
【図４】
2014523774.tif 000006
【図５】
2014523774.tif 000007
【図６】
2014523774.tif 000008
【図７】
2014523774.tif 000009
【図８】
2014523774.tif 000010
【図９】
2014523774.tif 000011
【図１０】
2014523774.tif 000012
【図１１】
2014523774.tif 000013
【図１２】
2014523774.tif 000014
【国際調査報告】
2014523774.tif 000015
2014523774.tif 000016
2014523774.tif 000017
2014523774.tif 000018
2014523774.tif 000019
2014523774.tif 000020